(57)【要約】【課題】画像形成手段に対して制御を行って調整する場合と比較して、線幅の調整の精度を向上させた画像処理装置、画像形成装置、及び画像処理プログラムを提供する。【解決手段】画像形成装置２２では、線幅調整処理を行って、文字画像及び線画像の少なくとも一方の線幅調整を行う。線幅調整処理では、出力したチャート５５を画像読取装置２４または第４出力端子４４で読み取って、測定した線幅（測定値）と目標値との差分をデジタルの補正量に換算する。画像形成装置２２は、コントローラ５０またはプリンタエンジン制御部５２における画像処理のパラメータを当該補正量に基づいて変更することにより画像データの線幅を調整する。画像形成部３０は、線幅が調整された画像データに基づいて画像を形成するため、用紙３１上に形成された線画像及び文字画像は、目標の線幅となる。【選択図】図２
2015035643.tif 000002
【特許請求の範囲】
【請求項１】
画像形成手段に画像を形成させるための文字及び線の少なくとも一方の画像データに対して、調整値により線幅調整処理を行う線幅調整手段と、
測定手段から取得した前記画像形成手段により記録媒体上に形成された線の幅の測定値と線幅の目標値との差または比に基づいて、前記線幅調整手段の調整値を変更する制御を行う制御手段と、
を備えた画像処理装置。
【請求項２】
前記線幅調整処理は、画像処理手段が受け付けた印刷データに対して所定の画像処理を施して前記画像データを生成する際に、線幅を前記調整値に基づいて調整する処理である、
請求項１に記載の画像処理装置。
【請求項３】
前記線幅調整処理は、前記画像データに含まれる文字及び線の少なくとも一方のエッジ部に対するエッジ処理において線幅を前記調整値に基づいて調整する処理である、
請求項１または請求項２に記載の画像処理装置。
【請求項４】
前記調整値は、前記エッジ部の画素を予め定められた画素に置き換える程度を表す、
請求項３に記載の画像処理装置。
【請求項５】
前記調整値は、前記エッジ部の濃度に関する調整値である、請求項３または請求項４に記載の画像処理装置。
【請求項６】
前記エッジ部は、注目画素の濃度と周囲の画素の濃度との濃度差分判定処理、及びエッジ部を示す予め定められたパターンを用いたパターンマッチング処理の少なくとも一方により検出される、
請求項３から請求項５のいずれか１項に記載の画像処理装置。
【請求項７】
前記制御手段は、前記測定値と線幅の目標値との差または比と、前記調整値との対応関係に基づいて、前記測定手段から取得した前記測定値に応じた調整値に変更するよう制御する、請求項１から請求項６のいずれか１項に記載の画像処理装置。
【請求項８】
前記請求項１から前記請求項７のいずれか１項に記載の画像処理装置と、
前記画像処理装置により線幅調整処理が行われた画像データに基づいて画像形成を行う画像形成手段と、
を備えた画像形成装置。
【請求項９】
前記請求項１から前記請求項７のいずれか１項に記載の画像処理装置の線幅調整手段、及び制御手段としてコンピュータを機能させるための画像処理プログラム。
【発明の詳細な説明】
【技術分野】
【０００１】
本発明は、画像処理装置、画像形成装置、及び画像処理プログラムに関する。
【背景技術】
【０００２】
特許文献１には、プリンタ等の出力装置により出力すべき画像情報に対し、該画像情報に含まれる文字又は線の濃度、太さ、色、サイズ、フォント種類等の予め定めた１つ以上の属性に関する条件判定を行い、該条件判定の結果に応じて文字又は線の太さ又は濃度を変更することを特徴とする画像情報処理方法が記載されている。
【先行技術文献】
【特許文献】
【０００３】
【特許文献１】特開平１１−１２９５４７号公報
【発明の概要】
【発明が解決しようとする課題】
【０００４】
本発明は、画像形成手段に対して制御を行って調整する場合と比較して、線幅の調整の精度を向上させた画像処理装置、画像形成システム、及び画像処理プログラムを提供することを目的とする。
【課題を解決するための手段】
【０００５】
上記目的を達成するために、本発明の画像処理装置は、画像形成手段に画像を形成させるための文字及び線の少なくとも一方の画像データに対して、調整値により線幅調整処理を行う線幅調整手段と、測定手段から取得した前記画像形成手段により記録媒体上に形成された線の幅の測定値と線幅の目標値との差または比に基づいて、前記線幅調整手段の調整値を変更する制御を行う制御手段と、を備える。
【０００６】
また、本発明の画像処理装置の前記線幅調整処理は、画像処理手段が受け付けた印刷データに対して所定の画像処理を施して前記画像データを生成する際に、線幅を前記調整値に基づいて調整する処理であってもよい。
【０００７】
また、本発明の前記線幅調整処理は、前記画像データに含まれる文字及び線の少なくとも一方のエッジ部に対するエッジ処理において線幅を前記調整値に基づいて調整する処理であってもよい。
【０００８】
また、本発明の画像処理装置における前記調整値は、前記エッジ部の画素を予め定められた画素に置き換える程度を表すものであってもよい。
【０００９】
また、本発明の画像処理装置における前記調整値は、前記エッジ部の濃度に関する調整値であってもよい。
【００１０】
また、本発明の画像処理装置における前記エッジ部は、注目画素の濃度と周囲の画素の濃度との濃度差分判定処理、及びエッジ部を示す予め定められたパターンを用いたパターンマッチング処理の少なくとも一方により検出されるようにしてもよい。
【００１１】
また、本発明の画像処理装置の前記制御手段は、前記測定値と線幅の目標値との差または比と、前記調整値との対応関係に基づいて、前記測定手段から取得した前記測定値に応じた調整値に変更するよう制御するようにしてもよい。
【００１２】
本発明の画像形成装置は、本発明の画像処理装置と、前記画像処理装置により線幅調整処理が行われた画像データに基づいて画像形成を行う画像形成手段と、を備える。
【００１３】
本発明の画像処理装置プログラムは、本発明の画像処理装置の線幅調整手段、及び制御手段としてコンピュータを機能させるためのものである。
【発明の効果】
【００１４】
請求項１、請求項２、請求項３、請求項８、及び請求項９に記載の発明によれば、画像形成手段に対して制御を行って調整する場合と比較して、線幅の調整の精度が向上する。
【００１５】
請求項４に記載の発明によれば、本構成を有しない場合と比較して、エッジ部の補正を容易かつ適切に行える。
【００１６】
請求項５に記載の発明によれば、本構成を有しない場合と比較して、線幅の調整を容易かつ適切に行える。
【００１７】
請求項６に記載の発明によれば、本構成を有しない場合と比較して、エッジ部の検出を容易かつ適切に行える。
【００１８】
請求項７に記載の発明によれば、対応関係に基づいて調整を行わない場合と比較して、調整値の変更を容易かつ適切に行える。
【図面の簡単な説明】
【００１９】
【図１】第１の実施の形態に係る画像形成装置の一例の概略を示す概略構成図である。
【図２】第１の実施の形態の画像形成装置における、線幅調整処理機能に関する構成の一例を表した機能ブロック図である。
【図３】第１の実施の形態に係る目標値と測定値との関係の具体的一例を表したグラフである。
【図４】第１の実施の形態における線幅調整処理の流れの一例を表したフローチャートである。
【図５】第１の実施の形態におけるＩＳＯ１３６６０に準拠した線幅の測定を説明するための説明図である。
【図６】第１の実施の形態のウエイトパラメータ変更処理である画像処理パラメータ変更処理の流れの一例を表したフローチャートである。
【図７】第１の実施の形態における補正量とウエイトパラメータとの対応関係の具体的一例を示した説明図である。
【図８】第１の実施の形態におけるウエイトパラメータに対応する線幅（文字）との具体的一例を示した説明図である。
【図９】第１の実施の形態におけるウエイトパラメータの具体的一例を示した説明図である。
【図１０】第２の実施の形態の画像形成装置における、線幅調整処理機能に関する構成の一例を表した機能ブロック図である。
【図１１】第２の実施の形態の実施例２−１のエッジ処理による線幅調整処理の一例のフローチャートである。
【図１２】第２の実施の形態の実施例２−１の濃度差分判定処理を説明するための説明図を示す。
【図１３】第２の実施の形態の実施例２−１のエッジ補正テーブルの具体的一例を示した説明図である。
【図１４】第２の実施の形態の実施例２−２のエッジ処理による線幅調整処理の一例のフローチャートである。
【図１５】第２の実施の形態の実施例２−２のパターンマッチング処理を説明するための説明図である。
【発明を実施するための形態】
【００２０】
以下、図面を参照して本発明の実施の形態の一例を詳細に説明する。
【００２１】
［第１の実施の形態］
本実施の形態の画像形成システム１０について説明する。図１には、本実施の形態の画像形成システム１０の一例の概略を表した概略構成図を示す。
【００２２】
本実施の形態の画像形成システム１０は、画像形成装置２２、及び画像読取装置２４を備えている。
【００２３】
画像読取装置２４は、記録媒体（用紙３１等）上に形成された画像を読み取り、当該画像に応じたページ記述言語等の印刷データ（例えば、Page Description Language：ＰＤＬデータ）を生成する機能を有している。いわゆるスキャナ等である。なお、なお、本実施の形態において「画像」とは、文字や線も含むものとする。画像読取装置２４で生成された印刷データは、画像形成装置２２のコントローラ５０に出力される。
【００２４】
画像形成装置２２は、印刷データから画像データを生成し、画像データに基づいて画像を用紙３１（記録媒体）上に形成する機能を有している。画像形成装置２２は、画像形成部３０、画像読取部４９、コントローラ５０、プリンタエンジン制御部５２、及びプリンタエンジン制御部５４を備えている。
【００２５】
画像形成部３０は、画像データに基づいた画像を用紙３１（記録媒体）上に形成する機能を有している画像形成部３０は、給紙部３２、画像形成ユニット３４、中間転写体４６、及び定着装置４８を備えており、いわゆるプリンタエンジンである。
【００２６】
画像形成ユニット３４は、イエロー（Ｙ）、マゼンタ（Ｍ）、シアン（Ｃ）、黒（Ｋ）の各色に対応した画像形成部として設けられている。これらの４つの画像形成ユニット３４Ｙ、３４Ｍ、３４Ｃ、３４Ｋは、基本的に形成する画像の色以外は同様に構成されている。画像形成ユニット３４は、感光体３６と、一次帯電用の帯電器３８と、露光装置４０と、現像装置４２と、クリーニング装置４４と、を備えている。感光体３６は、矢印Ａ方向に沿って回転駆動される像保持体として機能する。帯電器３８は、感光体３６の表面を一様に帯電する機能を有する。露光装置４０は、感光体３６の表面に各色に対応した画像データに基づいて露光を施して静電潜像を形成する機能を有する。現像装置４２は、感光体３６上に形成された静電潜像を対応する色のトナーによって現像する機能を有する。クリーニング装置４４は、感光体３６の表面に残留したトナー等を清掃する機能を有する。
【００２７】
イエロー（Ｙ）、マゼンタ（Ｍ）、シアン（Ｃ）、黒（Ｋ）の各色の画像形成ユニット３４Ｙ、３４Ｍ、３４Ｃ、３４Ｋの露光装置４０Ｙ、４０Ｍ、４０Ｃ、４０Ｋに対して対応する色の画像データが順次出力される。露光装置４０Ｙ、４０Ｍ、４０Ｃ、４０Ｋから画像データに応じて出射されるレーザ光ＬＢが、対応する感光体３６Ｙ、３６Ｍ、３６Ｃ、３６Ｋの表面に走査露光されて静電潜像が形成される。各感光体３６Ｙ、３６Ｍ、３６Ｃ、３６Ｋの表面に形成された静電潜像は、現像装置４２Ｙ、４２Ｍ、４２Ｃ、４２Ｋによって、それぞれイエロー（Ｙ）、マゼンタ（Ｍ）、シアン（Ｃ）、黒（Ｋ）の各色のトナー像として現像される。
【００２８】
イエロー（Ｙ）、マゼンタ（Ｍ）、シアン（Ｃ）、黒（Ｋ）の各色のトナー像は、中間転写体４６上に多重に一次転写された後、中間転写体４６から用紙３１上に一括して二次転写される。さらに、定着装置４８によって定着処理が施されて、フルカラーやモノクロ等の画像が形成された用紙３１が画像形成装置２２の外部に排出される。なお、用紙３１は、給紙部３２から所望のサイズ及び材質のものが供給される。
【００２９】
画像読取部４９は、画像形成部３０で用紙３１上に形成された画像を読み取る機能を有する。画像を読みとって生成した印刷データ（ＰＤＬデータ）は、コントローラ５０に出力される。本実施の形態では、画像読取部４９として、いわゆるインラインセンサ（ＩＬＳ）を用いているが、これに限定されない。なお、画像読取部４９は、少なくとも用紙３１上に形成された線を読み取る機能を有すればよい。
【００３０】
コントローラ５０及びプリンタエンジン制御部５２は、画像読取装置２４で生成された印刷データに画像処理（Raster Image Processor：ＲＩＰ）を施し、画像形成装置２２で画像を形成するための画像データを生成する機能を有している。プリンタエンジン制御部５４は、生成された画像データに基づいて、画像形成装置２２の画像形成部３０を制御する機能を有している。コントローラ５０、プリンタエンジン制御部５２、及びプリンタエンジン制御部５４は、ＣＰＵ（Central  Processing  Unit）、ＲＡＭ（Random  Access  Memory）、及びＲＯＭ（Read  Only  Memory）等を備えたコンピュータやＡＳＩＣ等として実現されており、ＣＰＵが、ＲＯＭに記憶されているプログラムを実行することにより、詳細を後述する線幅調整処理が実行される。
【００３１】
本実施の形態の画像形成装置２２では、画像読取装置２４または画像読取部４９で読み取った画像（線画像）に基づいて、画像形成部３０により用紙３１上に形成される線及び文字の幅（以下、線幅という）を調整（補正）する機能を有している。
【００３２】
本実施の形態の画像形成装置２２における、線幅調整処理機能について詳細に説明する。図２には、本実施の形態の画像形成装置２２における、線幅調整処理機能に関する構成の一例を表した機能ブロック図を示す。
【００３３】
画像形成装置２２のコントローラ５０は、画像処理部６０及び色補正部６２を備えている。
【００３４】
画像処理部６０は、パソコン等の外部装置１２から受け付けた印刷データ（ＰＤＬデータ）に対して画像処理としてＲＩＰ処理を行い、ビットマップ化して、ラスタ画像に変換する機能を有している。
【００３５】
また、本実施の形態の画像処理部６０は、ウエイトパラメータ決定部６０Ａを備えている。ウエイトパラメータ決定部６０Ａは、画像読取装置２４または画像読取部４９で測定された線幅の測定値（または、線画像を読み取った印刷データ）に基づいて、ＲＩＰ処理の際にウエイトパラメータを決定して変更する。
【００３６】
色補正部６２は、色補正処理により、色信号（ＲＧＢ）を画像形成部３０の色信号（ＣＭＹＫ）に変換する色空間の変換を画素毎に行う。色補正処理は、一般にＬＵＴ（Look Up Table）と呼ばれる補正テーブルやマトリックス演算により行われる。
【００３７】
プリンタエンジン制御部５２は、エッジ検出部７０、エッジ補正部７２、及びスクリーン部７４を備えている。
【００３８】
エッジ検出部７０は、各注目画素毎に、文字画像及び線画像のエッジを検出する。なお、エッジ検出の方法は、詳細を後述する濃度差分判定処理や、パターンマッチング処理等により行えばよく、特に限定されるものではない。
【００３９】
エッジ補正部７２は、エッジ検出部７０で検出されたエッジ部の濃度等の補正を、記憶部（図示省略）等に予め記憶されたＬＵＴと呼ばれる補正テーブル等を用いて行う。
【００４０】
スクリーン部７４は、面積階調法の一つであるディザ法等の二値化処理を、記憶部（図示省略）等に予め記憶された閾値マトリクスを用いて行う。
【００４１】
外部装置１２から受け付けた印刷データ（ＰＤＬデータ）は、コントローラ５０及びプリンタエンジン制御部５２により、画像形成部３０に画像を形成させるための画像データに変換される。
【００４２】
プリンタエンジン制御部５４は、露光装置４０を制御する露光制御部５４Ａ、現像装置４２を制御する現像制御部５４Ｂ、中間転写体４６を制御する転写制御部５４Ｃ、及び定着装置４８を制御する定着制御部５４Ｄを備える。プリンタエンジン制御部５４は、これら各制御部により、プリンタエンジン制御部５２から受け取った画像データに基づいて、露光装置４０、現像装置４２、中間転写体４６、及び定着装置４８等を制御する。当該制御に応じて画像形成部３０の各部が上述したように動作することで、画像データに基づいて画像が用紙３１上に形成される。本実施の形態では、線幅調整処理を行う場合は、線幅調整用のチャート５５（詳細後述）が形成される。
【００４３】
画像形成部３０により形成されたチャート５５は、画像読取部４９または画像読取装置２４により読み取られる。画像読取部４９または画像読取装置２４により生成された、チャート５５の印刷データ（ＰＤＬデータ）は、画像処理部６０（ウエイトパラメータ決定部６０Ａ）に出力される。
【００４４】
次に、本実施の形態の線幅調整処理における画像形成装置２２の動作について説明する。
【００４５】
本実施の形態では、予め画像データ、すなわちデジタル上の線幅（デジタル値）と、実際に画像形成部３０により用紙３１上に形成された線幅（測定値）との相関関係を求めておく（図４、ステップＳ１０参照）。図３には、デジタル値と測定値との関係の具体的一例を表したグラフを示す。なお、図３では、具体対一例として、線画像が２４００ｄｐｉの場合を示している。
【００４６】
図３に示すように、一般的に、デジタル値と測定値とは、オフセットした特性となる。そのため、本実施の形態では、デジタル上（画像データ上）の線幅の補正量（調整値）と、用紙３１上の線幅の補正量（調整値）とは、同等とみなしている。両者の補正量の絶対値は異なるが、傾きは等しいため、補正量（変化率）は等価とみなしている。具体的一例としては、線画像が６００ｄｐｉならば、１ドット線幅は、４０μｍ線幅に相当する。また、線画像が２４００ｄｐｉならば、１ドット線幅は、１０μｍ線幅に相当する。
【００４７】
当該特性から、測定値に基づいた補正量とデジタル値の補正量との対応関係を予め得ておく。なお、上記と異なり、両者の特性の傾きが異なる場合は、各ドット線幅毎に、補正量を算出しておくようにする。当該対応関係は、テーブル等であってもよいし、変換式等であってもよい。また、当該対応関係は、画像形成装置２２のコントローラ５０内等の記憶部（図示省略）等に記憶させておく。なお、当該対応関係は、このように予め画像形成装置２２内部に記憶させておくことが好ましいが、画像形成装置２２の外部に設けられた記憶部等から、線幅調整処理を行う際に取得するようにしてもよい。
【００４８】
図４には、本実施の形態における線幅調整処理の流れの一例を表したフローチャートを示す。
【００４９】
本実施の形態の画像形成装置２２では、線幅調整処理は、画像形成装置２２により画像を形成する前に、当該画像における線幅を調整するために、外部装置１２や、画像形成装置２２に設けられたユーザインターフェース（図示省略）等から線幅調整を行う旨の指示を受け付けた場合に実行される。
【００５０】
ステップＳ１００では、線幅調整用のチャート５５を出力する。線幅調整用に用いる線画像は、代表的な線幅として、２４００ｄｐｉの８ドット線であってもよいし、ドットやｄｐｉ等が異なる複数種類の線をであってもよい。なお、本実施の形態では、これら線画像を形成するためのチャート５５の画像データは、予め画像形成装置２２内部に記憶させておく。
【００５１】
次にステップＳ１０２では、画像読取装置２４または画像読取部４９により、チャート５５を読み取る。読み取られた印刷データ（ＰＤＬデータ）は、画像処理部６０に出力され、画像処理部６０により線幅が測定される。
【００５２】
本実施の形態では、画像処理部６０における線幅の測定方法は、図５に示すように、ＩＳＯ１３６６０における線幅の提示に準拠し、振幅値の６０％を線幅として測定している。
【００５３】
次のステップＳ１０４では、測定値と目標値とに基づいて補正量を決定する。本実施の形態では、測定量と目標値との差分を、上述のようにして予め取得しておいたデジタル値と測定値との対応関係（ステップＳ１０）を用いてデジタル上の補正量に換算し、デジタル上の補正量を決定する。
【００５４】
次のステップＳ１０６では、決定した補正量に基づいて、画像処理パラメータを変更する画像処理パラメータ変更処理（詳細後述）を行った後、本処理を終了する。
【００５５】
本実施の形態では、画像処理パラメータとして、ウエイトパラメータ決定部６０Ａがウエイトパラメータの変更を行う。ウエイトパラメータの変更を行う場合の画像処理パラメータ変更処理について説明する。
【００５６】
図６には、ウエイトパラメータ変更処理である画像処理パラメータ変更処理の流れの一例を表したフローチャートを示す。
【００５７】
ステップＳ２００では、デジタル値に換算した補正量に基づいて、ウエイトパラメータ決定部６０Ａがウエイトパラメータを決定する。なお、本実施の形態では、補正量とウエイトパラメータとの対応関係を予め実験等により得ておき、ウエイトパラメータ決定部６０Ａ内に格納しておく。図７には、補正量とウエイトパラメータとの対応関係の具体的一例を示す。ウエイトパラメータ決定部６０Ａは、当該対応関係に基づいて、デジタル値に換算した補正量に対応するウエイトパラメータを決定する。なお、当該対応関係は、テーブルとして格納しておいてもよいし、換算式として格納しておいてもよい。
【００５８】
次のステップＳ２０２では、ＲＩＰ処理におけるウエイトパラメータをウエイトパラメータ決定部６０Ａが決定したウエイトパラメータに変更した後、本処理を終了する。
【００５９】
図７に示すように、補正量が「＋」の場合は、線幅を太くするため、ウエイトパラメータが大きくなるように変更する。一方、補正量が「−」の場合は、線幅を細くするため、ウエイトパラメータが小さくなるように変更する。図８には、ウエイトパラメータに対応する線幅（文字）との具体的一例を示す。また、図９には、ウエイトパラメータの具体的一例を示す。図９（１）は、ウエイトパラメータの変更前の具体的一例を示す。図９（２）は、ウエイトパラメータの変更後の具体的一例を示す。図９中において、「font-weight」が、文字（線）の太さを表している。また、「font-size」が、文字（線）サイズ（図９では１３ｐｘ）を表している。また、「color」が、文字（線）色（図９では、＃３３３３３３：黒に近いグレー）を表している。また、「line-height」が、行の高さ（図９では、１．５文字分）を表している。図９では、フォントのウエイトパラメータが、０．０１から０．０２に変更された場合を示している。この場合、図８から分かるように、線幅が太くなる。
【００６０】
なお、補正量が「０」の場合は、ウエイトパラメータを変更しなくてよいため、本処理を行わずに、通常のＲＩＰ処理を行うようにしてもよい。
【００６１】
このように、本実施の形態では、ＲＩＰ処理を行う際に、ウエイトパラメータを変更することにより、線幅調整処理を行う。
【００６２】
［第２の実施の形態］
第１の実施の形態では線幅調整処理をウエイトパラメータを変更することにより行っていたがこれに限らず、エッジ処理により行うようにしてもよい。本実施の形態では、エッジ処理を行う場合の線幅調整処理について説明する。なお、本実施の形態は、第１の実施の形態と同様の構成及び動作を含むため、同様な構成及び動作についてはその旨を記し、詳細な説明を省略する。
【００６３】
画像形成システム１０全体の構成は、第１の実施の形態と同様であるため、説明を省略する。本実施の形態の画像形成装置２２では、線幅調整処理機能に関する構成が異なる。図１０には、本実施の形態の画像形成装置２２における、線幅調整処理機能に関する構成の一例を表した機能ブロック図を示す。図画像形成システム１０に示すように、本実施の形態のコントローラ５０の画像処理部６０は、第１の実施の形態と異なりウエイトパラメータ決定部６０Ａを備えていない。一方、プリンタエンジン制御部５２のエッジ補正部７２は、エッジ補正パラメータ決定部７２Ａを備えている。エッジ補正パラメータ決定部７２Ａは、画像読取装置２４または画像読取部４９で測定された線幅の測定値（または、線画像を読み取った印刷データ）に基づいて、エッジ部の濃度を変更する。そのため、本実施の形態では、画像読取部４９または画像読取装置２４により生成された、チャート５５の印刷データ（ＰＤＬデータ）は、プリンタエンジン制御部５２（エッジ補正パラメータ決定部７２Ａ）に出力される
次に、本実施の形態の線幅調整処理における画像形成装置２２の動作について説明する。本実施の形態においても、第１の実施の形態と同様に、予めデジタル値と測定値との対応関係を取得しておく。また、線幅調整処理全体の流れ（図４参照）は、第１の実施の形態と同様であるため、説明を省略する。
【００６４】
本実施の形態では、線幅調整処理をエッジ処理により行うようにしているが、方法としては、２種類挙げることができる。以下に説明する２種類のエッジ処理方法のいずれを行うかは、予め定めておけばよく、特に限定されるものではない。また、条件等を設けて、両方法を併用するようにしてもよい。
【００６５】
（実施例２−１）
図１１には、本実施例のエッジ処理による線幅調整処理の一例のフローチャートを示す。
【００６６】
ステップＳ３００では、濃度差分判定処理によりエッジ部を検出する。濃度差分判定処理の具体的一例を説明する。図１２には、濃度差分判定処理を説明するための説明図を示す。図１２に示すように、本実施例では、３×３（画素）のエッジ検出用フィルタを用いている。この場合は、エッジ検出用フィルタの中央部にあたる５番に対応する画像データの画素Ｖが注目画素となる。
【００６７】
濃度散文判定処理では、以下の（１）式〜（４）式によりＳＨ、ＳＶ、ＳＲ、ＳＬを算出する。なお、（１）式〜（４）式における１〜９の数字は、エッジ検出用フィルタの各番号に対応する画素の濃度を表す。
ＳＨ＝｜（１＋２＋３）−（７＋８＋９）｜      ・・・（１）
ＳＶ＝｜（１＋４＋７）−（３＋６＋９）｜      ・・・（２）
ＳＲ＝｜（１＋２＋４）−（６＋８＋９）｜      ・・・（３）
ＳＬ＝｜（４＋７＋８）−（２＋３＋６）｜      ・・・（４）
【００６８】
さらに、下記（５）式を満たす場合は、注目画素Ｖが、エッジ部であると判定し、下記（６）式を満たす場合は、注目画素Ｖが、非エッジ部であると判定する。なお、エッジ閾値は、予め実験等により定めておく。
【００６９】
Ｍａｘ＝（ＳＨ、ＳＶ、ＳＲ、ＳＬ）≧エッジ閾値      ・・・（５）
Ｍａｘ＝（ＳＨ、ＳＶ、ＳＲ、ＳＬ）≧エッジ閾値      ・・・（６）
【００７０】
エッジ検出部７０は、画像データの各画素を注目画素として、このように濃度差分判定処理を行うことにより、エッジ部を検出する。
【００７１】
次のステップＳ３０２では、エッジ補正テーブルを用いて補正量に基づいてエッジ部濃度を決定する。図１３には、本実施例のエッジ補正テーブルの具体的一例を示す。図１３に示すように、本実施例では、線幅を太くする場合（補正量が「＋」）には、エッジ部の白画素を黒画素に置き換えることにより、エッジ部の濃度を変更する。また、線幅を細くする場合（補正量が「−」）には、エッジ部の黒画素を白画素に置き換えることにより、エッジ部の濃度を変更する。本実施例では、エッジ補正テーブルとして、予め補正量と、画素の置き換え量との対応関係を予め取得しておき、エッジ補正パラメータ決定部７２Ａ等に格納しておく。なお、本実施例では、このように補正量と画素の置き換え（濃度）との対応関係をテーブルとして保持しているが、これに限らず、換算式等として保持していてもよい。
【００７２】
次のステップＳ３０４では、エッジ部の濃度を決定した濃度に変更した後、本処理を終了する。本実施例では、上述したように、エッジ部の画素を置き換えることにより濃度の変更を行う。また、本実施例では、エッジ部にはその旨を記すタグが付与されてスクリーン部７４に出力される。スクリーン部７４では、当該タグに基づいて、エッジ部のスクリーン線数を非エッジ部のスクリーン線数よりも大きくしている。本実施例では画具体的一例として、非エッジ部のスクリーン線数を通常時のスクリーン線数である１５０線〜２００線とし、エッジ部のスクリーン線数を６００線としている。スクリーン線数が高い方が、濃度は濃くなる。
【００７３】
（実施例２−２）
図１４には、本実施例のエッジ処理による線幅調整処理の一例のフローチャートを示す。
【００７４】
ステップＳ４００では、パターンマッチング処理によりエッジ部を検出する。パターンマッチング処理の具体的一例を説明する。図１５には、パターンマッチング処理を説明するための説明図を示す。図１５に示すように、本実施例では、マッチングパターンの中央部に対応する画素を注目画素としている。なお、マッチング自身は、関係画素の排他的論理和により行う。このようにパターンマッチング処理を行うことにより、エッジ部を検出する。
【００７５】
次のステップＳ４０２では、エッジ補正テーブルを用いて補正量に基づいて出力パターンを決定する。本実施例におけるエッジ補正テーブルは、実施例２−１におけるエッジ補正テーブル（図１３参照）と同様である。本実施例においても、線幅を太くする場合（補正量が「＋」）には、エッジ部の白画素を黒画素に置き換えることにより、エッジ部の濃度を変更する。また、線幅を細くする場合（補正量が「−」）には、エッジ部の黒画素を白画素に置き換えることにより、エッジ部の濃度を変更する。本実施例では、エッジ補正テーブルとして、予め補正量と、画素の置き換え量との対応関係（テーブルまたは換算式）を予め取得しておき、エッジ補正パラメータ決定部７２Ａ等に格納しておく。
【００７６】
次のステップＳ４０４では、出力パターンを変更した後、本処理を終了する。  図１５では、通常のエッジ補正における全体像（出力パターン）を示しているが、本実施例では、当該出力パターンを上述したように補正量に応じて画素を置き換えた出力パターンに変更する。
【００７７】
このように、本実施の形態では、プリンタエンジン制御部５２がエッジ処理により、線幅調整処理を行う。
【００７８】
以上説明したように、上記各実施の形態の画像形成装置２２では、線幅調整処理を行って、文字画像及び線画像の線幅調整を行う。線幅調整処理では、出力したチャート５５を画像読取装置２４または第４出力端子４４で読み取って、測定した線幅（測定値）と目標値との差分をデジタルの補正量に換算する。画像形成装置２２は、コントローラ５０またはプリンタエンジン制御部５２における画像処理のパラメータを当該補正量に基づいて変更することにより画像データの線幅を調整する。画像形成部３０は、線幅が調整された画像データに基づいて画像を形成するため、用紙３１上に形成された線画像及び文字画像は、目標（所望）の線幅となる。
【００７９】
用紙３１や環境の変化等の影響により、文字画像や線画像が所望の線幅（品質）とならない場合がある。これに対して上記各実施の形態の画像形成装置２２では、線幅調整処理を行っているため、所望の線幅（品質）が保たれる。
【００８０】
また、上記各実施の形態の画像形成装置２２では、画像形成部３０を制御して線幅を調整するのではなく、画像データそのものをコントローラ５０またはプリンタエンジン制御部５２により変更して線幅を調整している。そのため、上記各実施の形態の画像形成装置２２では、画像形成部３０の制御により線幅の調整を行う場合に比べて、精度良く線幅の調整が行われる。
【００８１】
なお、上記各実施の形態では、プリンタエンジン制御部５２がエッジ検出、エッジ補正、及びスクリーン処理を行っているがこれに限らず、負荷分散によりコントローラ５０でエッジ検出及びスクリーン処理を行ってもよい。このように、上記各処理をコントローラ５０及びプリンタエンジン制御部５２のいずれで行うかは、適宜変更可能である。
【００８２】
また、上記各実施の形態を組み合わせて用いてもよい。
【００８３】
また、上記各実施の形態では、測定値と目標値との差分を用いているがこれに限らず、比を用いるようにしてもよい。
【００８４】
また、上記各実施の形態では、ユーザ等の指示に応じて、線幅調整処理を行っているがこれに限らない。例えば、コントローラ５０が印刷データに文字画像や線画像が含まれているか判断し、含まれていると判断した場合は、線幅調整処理を行うようにしてもよい。
【００８５】
また、文字画像及び線画像の一方のみに上記各実施の形態を適用してもよいが、両画像に適用することが好ましい。
【００８６】
なお、上記各実施の形態は本発明の一例であり、本発明の主旨を逸脱しない範囲内において状況に応じて変更可能であることはいうまでもない。本実施の形態で説明した画像形成システム１０、画像形成装置２２、コントローラ５０、及びプリンタエンジン制御部５４等の構成や線幅調整処理等は一例であり、本発明の主旨を逸脱しない範囲内において状況に応じて変更可能であることは言うまでもない。
【符号の説明】
【００８７】
１０  画像形成システム
２２  画像形成装置
２４  画像読取装置
３０  画像形成部
４９  画像読取部
５０  コントローラ
５２、５４  プリンタエンジン制御部
６０  画像処理部、６０Ａ  ウエイトパラメータ決定部
６２  色補正部
７０  エッジ検出部
７２  エッジ補正部、７２Ａ  エッジ補正パラメータ決定部
７４  スクリーン部
【図１】
2015035643.tif 000003
【図２】
2015035643.tif 000004
【図３】
2015035643.tif 000005
【図４】
2015035643.tif 000006
【図５】
2015035643.tif 000007
【図６】
2015035643.tif 000008
【図７】
2015035643.tif 000009
【図９】
2015035643.tif 000010
【図１０】
2015035643.tif 000011
【図１１】
2015035643.tif 000012
【図１２】
2015035643.tif 000013
【図１３】
2015035643.tif 000014
【図１４】
2015035643.tif 000015
【図１５】
2015035643.tif 000016
【図８】
2015035643.tif 000017